(57)【要約】      （修正有）【課題】従来のスイミングゴーグルの改良であって、比較的に広い視野を有するとともに、安定して着用することのできるスイミングゴーグルを提供する。【解決手段】スイミングゴーグルは、レンズ２０とレンズ２０の外周から延出して後方へ延びるフレーム３０とを有する。フレーム３０は、環状の周壁部３１と、周壁部３１の後方に位置して着用者の顔面に当接される後方周縁部３２とを有し、後方周縁部３２の上側部分３２ａは下方へ突出した形状を有する。【選択図】図４
2019107280.tif 000002
【特許請求の範囲】
【請求項１】
前後方向と、上下方向と、横方向とを有し、レンズと前記レンズの外周から延出して後方へ延びるフレームとを有する一対のアイカップを含むスイミングゴーグルにおいて、
前記フレームは、環状の周壁部と、前記周壁部の後方に位置して着用者の顔面に当接される後方周縁部とを有し、
前記後方周縁部の上側部分は下方へ突出した形状を有することを特徴とするスイミングゴーグル。
【請求項２】
前記周壁部は、前記レンズの上端から前記後方周縁部へ向かって直線状又は下り勾配に延びている請求項１に記載のスイミングゴーグル。
【請求項３】
仮想の視線と前記レンズの前記上端と目の中心とを結んだ仮想の線とからなる視界が、４５〜６５度である請求項２に記載のスイミングゴーグル。
【請求項４】
前記後方周縁部の下側部分は、下方へ突出した形状を有する請求項１〜３のいずれかに記載のスイミングゴーグル。
【請求項５】
前記後方周縁部は、周方向において起伏した形状を有し、前記上側部分を有する径方向の内方へ突出した第１域と、前記下側部分を有する径方向の外方へ突出した第２域とを有する請求項４に記載のスイミングゴーグル。
【請求項６】
前記後方周縁部の下側部分は、後方へ直線状又は上方へ突出した形状を有する請求項１−３のいずれかに記載のスイミングゴーグル。
【発明の詳細な説明】
【技術分野】
【０００１】
本発明は、スイミングゴーグルに関する。
【背景技術】
【０００２】
特許文献１には、図７に示すとおり、レンズ１２０とフレーム１３０とを有する一対のアイカップ１１１を含むゴーグル本体と、ゴーグル本体の両側を連結するヘッドストラップとを備えたスイミングゴーグル１００が開示されている。
【先行技術文献】
【特許文献】
【０００３】
【特許文献１】特開２００２−４５４３９号公報
【発明の概要】
【発明が解決しようとする課題】
【０００４】
特許文献１に開示のスイミングゴーグル１００は、硬質材料から形成されたアイカップ１１１に軟質材料から形成されたパッド部材が取り付けられていることから、アイカップ１１１が顔面に直接当接される場合に比べて肌当たりがよく、肌に圧迫跡が付きにくくなる。パッド部材は、環状の周壁部１３１と、着用者の顔面に当接される環状の後方周縁部１３２とを有し、後方周縁部１３２が着用者の瞼の上方に位置する眼窩上縁の位置する当接部分１５１に当接されることによって、ゴーグル１００が安定的に着用される。
【０００５】
しかしながら、ゴーグル１００を着用した状態において、後方周縁部１３２の上側部分１３２ａが上方へ突出した形状を有することから、レンズ１２０の上端１２０ａが着用者の目線に対して比較的に低い位置にあり、視野が比較的に狭くなってしまうおそれがある。すなわち、外界の対象物の位置する視点Ｔ２と目１５０の中心１５０ａとを結ぶ仮想の視線Ｖ３と、目１５０の中心１５０ａとレンズ１２０の上端１２０ａとを結ぶ仮想の線Ｖ４とからなる上方の視界の角度βは比較的に小さくなる。視野を広げるために、後方周縁部１３２の上側部分１３２ａを比較的に高い位置、眼窩上縁よりも上方の前頭骨の位置する部分１５２まで移動させた場合には、遊泳又は競泳中に、ゴーグル１００が位置ずれしてしまうおそれがある。
【０００６】
本発明の課題は、従来のスイミングゴーグルの改良であって、比較的に広い視野を有するとともに、安定して着用することのできるスイミングゴーグルの提供にある。
【課題を解決するための手段】
【０００７】
本発明は、前後方向と、上下方向と、横方向とを有し、レンズと前記レンズの外周から延出して後方へ延びるフレームとを有する一対のアイカップを含むスイミングゴーグルに関する。
【０００８】
本発明に係るスイミングゴーグルは、前記フレームは、環状の周壁部と、前記周壁部の後方に位置して、着用者の顔面に当接される後方周縁部とを有し、前記後方周縁部の上側部分は下方へ突出した形状を有することを特徴とする。
【０００９】
本発明は、前記特徴とする構成のほかに、以下の好ましい実施の態様を含む。
（１）前記周壁部は、前記レンズの上端から前記後方周縁部へ向かって直線状又は下り勾配に延びている。
（２）仮想の視線と前記レンズの前記上端と目の中心とを結んだ仮想の線とからなる視界が、４５〜６５度である。
（３）前記後方周縁部の下側部分は、下方へ突出した形状を有する。
（４）前記後方周縁部は、周方向において起伏した形状を有し、前記上側部分を有する径方向の内方へ突出した第１域と、前記下側部分を有する径方向の外方へ突出した第２域とを有する。
（５）前記後方周縁部の下側部分は、後方へ直線状又は上方へ突出した形状を有する。
【発明の効果】
【００１０】
本発明に係るスイミングゴーグルによれば、フレームの後方周縁部の上側部分が下方へ突出した形状を有することによって、上側部分が顔面の適正な位置に当接された装着状態において、視界が比較的に広くなり、対象物をすぐに視認することができる。
【図面の簡単な説明】
【００１１】
図面は、本発明の特定の実施の形態を示し、発明の不可欠な構成ばかりではなく、選択的及び好ましい構成を含む。
【図１】スイミングゴーグルの斜視図。
【図２】（ａ）ゴーグル本体を上側から視た平面図。（ｂ）図１のＩＩ（ｂ）−ＩＩ（ｂ）線に沿う断面図。
【図３】（ａ）アイカップを背面側から視た斜視図。（ｂ）図３（ａ）のＩＩＩ（ｂ）−ＩＩＩ（ｂ）線に沿う断面図。
【図４】着用状態における、アイカップの断面図。
【図５】（ａ）図２（ｂ）に示す一点鎖線Ｖ（ａ）で囲んだ領域の一部拡大図。（ｂ）実施例の一例における図５（ａ）と同様の図。（ｃ）他の実施例における図５（ａ）と同様の図。（ｄ）さらに他の実施例における図５（ａ）と同様の図。
【図６】（ａ）さらに他の実施例における図２（ｂ）と同様のアイカップの断面図。（ｂ）さらに他の実施例の一例における図６（ａ）と同様の図。（ｃ）さらに他の実施例における図６（ａ）と同様の図。
【図７】従来のスイミングゴーグルの着用状態における、図４と同様のアイカップの断面図。
【発明を実施するための形態】
【００１２】
本発明に係るスイミングゴーグル１０の詳細を添付の図面を参照して説明すると、以下のとおりである。下記の実施の形態は、図１〜図４に示すスイミングゴーグル１０に関し、発明の不可欠な構成ばかりではなく、選択的及び好ましい構成を含む。
【００１３】
図１を参照すると、スイミングゴーグル１０は、前後方向Ｆ，Ｒと、上下方向Ｙと、横方向Ｘとを有し、一対のアイカップ１１を有するゴーグル本体１３と、ゴーグル本体１３の両側部を互いに連結するヘッドストラップ１２とを含む。アイカップ１１は、レンズ２０と、レンズ２０の外周から延出して後方へ延びるフレーム３０とを含む。アイカップ１１は、それぞれ、その横方向Ｘの寸法を２等分する縦断中心線Ｐと、その上下方向の寸法を２等分する横断中心線Ｑとを有する。
【００１４】
レンズ２０とフレーム３０とは、レンズ２０が透明又は半透明、フレーム３０が半透明又は不透明の硬質材料から形成されており、硬質材料としては、例えば、アクリル、ポリカーボネートなどのプラスチック材料を用いることができる。ヘッドストラップ１２は、ゴム弾性を有する比較的に柔軟なゴムや、シリコン、ポリウレタン等のプラスチック材料から形成することができる。レンズ２０は、図示例において、扁平な横楕円状であるが、円形、涙目状、矩形等各種公知の形状を採用することができる。また、レンズ２０とフレーム３０とは、射出成形によって一体に形成されてもよいし、別体に形成されて公知の接着手段又は溶着手段によって接合されていてもよい。
【００１５】
一対のアイカップ１１は、横方向Ｘの内端部１１ａに位置する取付孔１６にノーズブリッジ１５の端部に位置する係合爪（図示せず）を係合することによって互いに連結される。また、アイカップ１１の横方向Ｘにおける外端部１１ｂには、ヘッドストラップ１２の一部を挿通するための挿通孔１７が位置している。ヘッドストラップ１２は、挿通孔１７に挿通されて掛け回され、後方Ｒへ延びる部分が互いにアジャスター１８を介して長さ調整可能に連結されている。
【００１６】
図１〜図２（ａ），（ｂ）及び図３（ａ），（ｂ）を参照すると、フレーム３０は、レンズ２０の後方に位置する環状の周壁部３１を有する。周壁部３１は、着用者の顔面に当接される環状の後方周縁部３２を有する。フレーム３０の後方周縁部３２は、上側部分３２ａと、下側部分３２ｂと、横方向において互いに対向する内外端部分３２ｃ，３２ｄとを有する。フレーム３０は、レンズ２０の下端からさらに下方へ突出する張出部分３６を有する。
【００１７】
図３（ａ）を参照すると、フレーム３０の後方周縁部３２はその周方向及び前後方向において起伏を繰り返した形状を有している。具体的には、外端部分３２ｄを起点として周方向の反時計回りに向かって後方周縁部３２の形状を説明すると、まず、外端部分３２ｄにおいては平坦状であるところ、外端部分３２ｄの上端近傍に位置する変化点（反転部位）４０ａにおいて径方向の内方へ突出するようにその形状が変化する。上側部分３２ａにおいては径方向の内方へ突出した形状のまま内端部分３２ｃを通過して縦断中心線Ｐの手前に位置する変化点（反転部位）４０ｂでさらに形状が変化し、そこから外端部分３２ｄへ向かってさらに周方向へ延びる部分では、径方向の外側へ突出した形状を有する。図３（ａ）において、変化点４０ａ，４０ｂは、説明の便宜上、太い一点鎖線で示している。
【００１８】
このように、後方周縁部３２は、周方向へ形状が変化しており、変化点４０ａから上側部分３２ａを通過して縦断中心線Ｐの手前に位置する変化点４０ｂまで延びる第１域４１と、変化点４０ｂから変化点４０ａまで下側部分３２ｂを通過して周方向へ延びる第２域４２とを有する。第１域４１は、後方周縁部３２の上側部分３２ａを有して径方向の内方へ突出した形状を有し、第２域４２は、下側部分３２ｂを有して径方向の外方へ突出した形状を有する。
【００１９】
図７を参照すると、従来のゴーグル１００の着用状態においては、フレーム１３０の後方周縁部１３２が着用者の顔面の適正な位置、すなわち、後方周縁部１３２の上側部分１３２ａが眼窩上縁が位置する適正な当接部分１５１に当接された状態において、レンズ１２０の上端１２０ａが当接部分１５１の下方に位置する。したがって、目先にある外界の対象物の位置する視点Ｔ２を視るときの上方の視界、すなわち、視点Ｔ２と目１５０の中心１５０ａと結ぶ仮想の視線Ｖ３と、目１５０の中心１５０ａとレンズ１２０の上端１２０ａとを結ぶ仮想の線Ｖ４とからなる視界の角度βは、比較的に小さくなる。具体的には、従来のゴーグル１００の視界の角度βは、３５〜４０度である。
【００２０】
遊泳中又は競泳中に、視点Ｔ２の位置を正確に把握するために、上方の視界はできるだけ広角であることが好ましい。視界をできるだけ広角にするために、後方周縁部１３２を上方へ移動させて眉上近傍の部分１５２に当接させた場合には、前頭骨の前方へ突出した部分が位置して皮膚が薄くなっている部分であるので、着用者が痛みや違和感を感じるおそれがあるだけではなく、着用状態が安定せずに、水流によってゴーグルが位置ズレするおそれがある。一方、レンズ１２０自体を大きくして、上端１２０ａをさらに上方に位置させる場合には、レンズ１２０と周壁部との間に段差が生じて水中で乱流を生じる原因となるおそれがあるとともに、ゴーグル１００の正面視において見た目が悪くなる。
【００２１】
図４を参照すると、本実施形態に係るゴーグル１０の着用状態においては、フレーム３０の後方周縁部３２の上側部分３２ａが下方へ突出した形状を有することから、上側部分３２ａが眼窩上縁の位置する適正な当接部分５１に当接された状態において、周壁部３１は前後方向Ｆ，Ｒへ直線状に延び、レンズ２０の上端２０ａはその前方に対向するように位置している。したがって、目先にある外界の対象物の位置する視点Ｔ１を視るときの視界、すなわち、視点Ｔ１と目５０の中心５０ａとを結ぶ仮想の視線Ｖ１と、目５０の中心５０ａとレンズ２０の上端２０ａとを結ぶ仮想の線Ｖ２とからなる上方の視界の角度αは、比較的に大きくなる。
【００２２】
このように、着用者の視界が比較的に広くなることから、従来のゴーグル１００に比べて、遊泳中又は競泳中において、前方かつ上方に位置する対象物（障害物、目的物）をすぐに視認することができる。また、後方周縁部３２の第１域４１は、顔面の適正な位置に当接されるので、水流や外部衝撃等によって、ゴーグル１０が上方へ位置ズレするおそれはない。
【００２３】
ゴーグル１０の視界の角度αは、好ましくは、４５〜６５度、さらに好ましくは、５０〜６０度である。視界の角度αが４５度未満の場合には、比較的に視界が狭くなって前方かつ上方に位置する対象物を視認し難くなり、一方、６５度を超える場合には、レンズ２０が比較的に大きくなって、ゴーグル１０の正面視において見た目が悪くなる。
【００２４】
従来のゴーグル１００においては、周壁部１３１からさらに後方周縁部１３２が上方へ突出しているので、周壁部１３１と後方周縁部１３２との間に段差１３９が形成されており、かかる段差１３９は水中において乱流を生じる原因となるおそれがある。一方、本実施形態に係るゴーグル１０は、レンズ２０の上端２０ａから後方周縁部１３２まで平坦状かつ直線状に延びていることから乱流が生じることはなく、水抵抗を抑制することができる。
【００２５】
既述のとおり、アイカップ１１の下側部分３２ｂにおいては、フレーム３０の後方周縁部３２の下方へ突出した第２域４２が位置している。アイカップ１１の下側部分３２ｂが上側部分３２ａと同様に径方向の内方へ向かって突出する場合、すなわち、上方へ突出する場合には、水中でアイカップ１１内に入り込んだ水が下側部分３２ｂに溜まって外部へ抜け難くなるおそれがある。着用者は、着用する前に、後方周縁部３２を肌に密着させるためにゴーグル本体１３全体を水中に入れてから着用したり、遊泳中にアイカップ１１内に入った水を抜くためにゴーグル本体１３を顔面から離間させるように前方へ移動して斜めにすることがあるが、かかる場合において、後方周縁部３２の下側部分３２ｂが上方へ突出していた場合には、下側部分３２ｂに水が溜まってしまうことになる。本実施形態においては、下側部分３２ｂが下方へ突出した形状を有することによって、アイカップ１１内に入り込んだ水が下方へ移動して顔面と第２域４２との間から外部へ排出することができる。
【００２６】
再び、図３（ａ）を参照すると、本実施形態に係る技術的効果を奏するために、後方周縁部３２の第１域４１は、少なくとも上側部分３２ａに位置し、かつ、後方周縁部３２の周方向の寸法の３０〜８０％であることが好ましく、５５〜７０％の大きさであることがさらに好ましい。図示例と異なり、第１域４１と第２域４２との境界となる変化点４０ａは、横断中心線Ｑの下側に位置していてもよいし、変化点４０ｂは横断中心線Ｑの上側に位置していてもよい。
【００２７】
図５（ａ）は、図２（ｂ）に示す一点鎖線Ｖ（ａ）で囲んだ領域の一部拡大図、図５（ｂ）〜（ｄ）は、それぞれ他の実施例における図５（ａ）と同様の図、図６（ａ）〜（ｃ）は、それぞれ他の実施例におけるアイカップ１１の断面図である。
【００２８】
図５（ａ）を参照すると、本実施形態に係るゴーグル１０においては、周壁部３１は、レンズ２０の上端２０ａから後方周縁部３２の上側部分３２ａへ向かって前後方向Ｆ，Ｒへほぼ直線状に延びている。図５（ａ）を参照すると、実施例の一例におけるゴーグル１０においては、周壁部３１は、レンズ２０の上端２０ａから後方周縁部３２の上側部分３２ａへ向かって下り勾配に延びている。周壁部３１がかかる態様を有する場合であっても、顔面に当接される後方周縁部３２の上側部分３２ａよりもレンズ２０の上端２０ａが上方に位置することによって、視界の角度αは比較的に大きくなる。
【００２９】
図５（ｃ）を参照すると、他の実施例のゴーグル１０においては、周壁部３１は、レンズ２０の上端２０ａから後方周縁部３２の上側部分３２ａへ向かって僅かに上り勾配に延びている。かかる態様であっても、レンズ２０の上端２０ａと上側部分３２ａとが上下方向Ｙにおいて並ぶように前後方向Ｆ，Ｒにおいて対向して位置することから、図５（ａ）及び（ｂ）の実施例に比して狭い視野の角度αとなるが、従来のゴーグル１００よりは視野が広角になる。
【００３０】
図５（ｄ）を参照すると、他の実施例のゴーグルにおいては、周壁部３１は、レンズ２０の上端２０ａから後方周縁部３２の上側部分３２ａへ向かって上方へ凸となるように屈曲して延びている。周壁部３１が、かかる態様を有する場合であっても、レンズ２０の上端２０ａと上側部分３２ａとが上下方向Ｙにおいて並ぶように前後方向Ｆ，Ｒにおいて対向して位置することから、比較的に視野が広角になる。
【００３１】
図６（ａ）を参照すると、実施例の一例におけるスイミングゴーグル１０は、硬質の合成樹脂材料から一体的に成形された、アイカップ１１のレンズ２０とフレーム３０の周壁部３１の一部とを形成する第１部分６１と、軟質の合成樹脂材料や弾性ゴム等から成形された、後方周縁部３２を含む周壁部３１の一部を形成する第２部分６２とを有する。第２部分６２は、第１部分６１に接着又は溶着によって接合されており、互いの接合面は段差状を有する。後方周縁部３２がレンズ２０やフレーム３０の一部と異なり軟質材料から形成されることによって、顔面に優しくフィットすることができる。このように、後方周縁部３２をフレーム３０と別体に形成する態様は、図５（ａ）〜（ｄ）及び後記の図６（ｂ），（ｃ）に示す他の実施例において適用することができる。
【００３２】
図６（ｂ）を参照すると、他の実施例の一例におけるスイミングゴーグル１０では、フレーム３０の後方周縁部３２の上側部分３２ａが下方へ突出する一方、下側部分３２ｂが上方へ突出している。かかる態様においても、上側部分３２ａが下方へ突出することによって、対象物に対する上方側の視界を比較的に広くすることができる。
【００３３】
図６（ｃ）を参照すると、さらに他の実施例の一例におけるスイミングゴーグル１０では、フレーム３０の後方周縁部３２の上側部分３２ａが下方へ突出する一方、下側部分３２ｂが後方へ直線状に延びている。かかる態様においても、上側部分３２ａが下方へ突出することによって、対象物に対する上方側の視界を比較的に広くすることができる。また、下側部分３２ｂが顔面へ向かって直線状に延びていることによって、アイカップ１１内に入った水を抜くときに、スムーズに水を排出することができる。
【００３４】
なお、スイミングゴーグル１０を構成する各構成部材には、特に明記されていない限りにおいて、本明細書に記載されている材料のほかに、この種の分野において通常用いられている、各種公知の材料を制限なく用いることができる。
【符号の説明】
【００３５】
１０  スイミングゴーグル
１１  アイカップ
１３  ゴーグル本体
２０  レンズ
２０ａ  レンズの上端
３０  フレーム
３１  周壁部
３２  後方周縁部
３２ａ  後方周縁部の上側部分
３２ｂ  後方周縁部の下側部分
４１  第１域
４２  第２域
Ｆ    前方
Ｒ    後方
Ｔ１  対象物の位置する視点
Ｖ１  仮想の視線
Ｖ２  レンズの上端と目の中心とを結んだ仮想の線
Ｘ    横方向
Ｙ    上下方向
α    視界の角度
【図１】
2019107280.tif 000003
【図２】
2019107280.tif 000004
【図３】
2019107280.tif 000005
【図４】
2019107280.tif 000006
【図５】
2019107280.tif 000007
【図６】
2019107280.tif 000008
【図７】
2019107280.tif 000009